(57)【要約】【課題】低床な車体構造を実現することが可能な車両懸架装置を得る。【解決手段】本車両懸架装置１０は、車幅方向に延在し、長手方向一端部が上側トレーリングリンク４２の前端部に連結されると共に、長手方向他端部が車体２０に連結され、上側トレーリングリンク４２の回転に伴い捩り変形するトーションバー５６と、上側トレーリングリンク４２に連結された可動部１２０が車体２０に連結された固定部１２２に対して相対回転可能に連結され、上側トレーリングリンク４２の回転に伴う固定部１２２と可動部１２０との相対回転を減衰するロータリーダンパ５８と、を備えている。【選択図】図２
2014015063.tif 000002
【特許請求の範囲】
【請求項１】
自動車の後輪を回転可能に支持する後輪支持部材と、
前端部が車体に対して車幅方向に沿った軸線回りに回転可能に連結されると共に、後端部が前記後輪支持部材に対して車幅方向に沿った軸線回りに回転可能に連結されたトレーリングリンクと、
車幅方向に延在し、長手方向一端部が前記トレーリングリンクの前端部に連結されると共に、長手方向他端部が車体に連結され、前記トレーリングリンクの回転に伴い捩り変形するトーションバーと、
前記トレーリングリンクに連結された可動部が車体に連結された固定部に対して相対回転可能に連結され、前記トレーリングリンクの回転に伴う前記固定部と前記可動部との相対回転を減衰するロータリーダンパと、
を備えた車両懸架装置。
【請求項２】
前記ロータリーダンパは、前記固定部に対する前記可動部の回転中心が車体に対する前記トレーリングリンクの回転中心と同軸上に配置されており、前記可動部は、前記トレーリングリンクの回転中心よりも車両後方側で前記トレーリングリンクに連結されている請求項１に記載の車両懸架装置。
【請求項３】
前記トーションバーは、前記ロータリーダンパの前記可動部及び前記固定部を同軸的に貫通している請求項１又は請求項２に記載の車両懸架装置。
【請求項４】
前記トーションバーは、前記後輪支持部材の車両前方に配置されており、
前記ロータリーダンパは、前記トーションバーと前記トレーリングリンクとの連結部を介して前記トーションバーとは反対側に配置されている請求項１又は請求項２に記載の車両懸架装置。
【請求項５】
前記トレーリングリンクは、車両前方側へ延びる左右一対の腕部を備えており、前記ロータリーダンパは、前記一対の腕部の前端部間に配置されている請求項４に記載の車両懸架装置。
【請求項６】
前記トレーリングリンクは、上側トレーリングリンクであり、当該上側トレーリングリンクの下方には、下側トレーリングリンクが設けられており、当該下側トレーリングリンクは、前端部が車体に対して車幅方向に沿った軸線回りに回転可能に連結されると共に、後端部が前記後輪支持部材に対して車幅方向に沿った軸線回りに回転可能に連結されている請求項１〜請求項５の何れか１項に記載の車両懸架装置。
【請求項７】
前記ロータリーダンパは、前記固定部に対する前記可動部の相対回転時に両者の間に摩擦力を生じさせる摩擦式とされている請求項１〜請求項６の何れか１項に記載の車両懸架装置。
【発明の詳細な説明】
【技術分野】
【０００１】
本発明は、自動車の後輪側に使用される車両懸架装置に関する。
【背景技術】
【０００２】
下記特許文献１に示された三輪電気自動車では、後輪がスイングアームと後輪用サスペンションとからなるスイングアーム式サスペンションを介して車体フレームに連結されている。この後輪用サスペンションは、スイングアームの前端側から車両上方側へ延びており、上端部が車体フレームに連結されている。
【先行技術文献】
【特許文献】
【０００３】
【特許文献１】特開２００８−６８８０８号公報
【発明の概要】
【発明が解決しようとする課題】
【０００４】
上述の如き後輪用サスペンションは、一般にコイルスプリング及びショックアブソーバによって構成されるが、これらの部品の設置には上下に長い空間が必要になる。また、ショックアブソーバの上端部を支持するために、ショックアブソーバの上方に車体フレーム等の強固な構造体が必要になる。このため、低床な車体構造を実現することが困難になる。
【０００５】
本発明は上記事実を考慮し、低床な車体構造を実現することが可能な車両懸架装置を得ることを目的とする。
【課題を解決するための手段】
【０００６】
請求項１に記載の発明に係る車両懸架装置は、自動車の後輪を回転可能に支持する後輪支持部材と、前端部が車体に対して車幅方向に沿った軸線回りに回転可能に連結されると共に、後端部が前記後輪支持部材に対して車幅方向に沿った軸線回りに回転可能に連結されたトレーリングリンクと、車幅方向に延在し、長手方向一端部が前記トレーリングリンクの前端部に連結されると共に、長手方向他端部が車体に連結され、前記トレーリングリンクの回転に伴い捩り変形するトーションバーと、前記トレーリングリンクに連結された可動部が車体に連結された固定部に対して相対回転可能に連結され、前記トレーリングリンクの回転に伴う前記固定部と前記可動部との相対回転を減衰するロータリーダンパと、を備えている。
【０００７】
請求項１に記載の車両懸架装置では、トレーリングリンクが車体に連結された前端部を回転中心として車体に対し車幅方向に沿った軸線回りに回転すると、トレーリングリンクの後端部に後輪支持部材を介して連結された後輪が車体に対して上下動する。この際、トレーリングリンクの回転に伴ってトーションバーが捩り変形することにより衝撃が吸収されると共に、ロータリーダンパが固定部に対する可動部の相対回転を減衰することにより後輪の上下動（振動）が減衰される。
【０００８】
ここで、上述のトーションバーは、トレーリングリンクの前端部と車体との間に車幅方向に沿って架け渡されているため、上下方向の占有スペースを小さくすることができる。また、上述のロータリーダンパは、トレーリングリンクの車幅方向に沿った軸線回りの回転に伴って可動部が固定部に対し相対回転するものであるため、前述したスイングアーム式サスペンションのショックアブソーバと比較して、上下方向の占有スペースを小さくすることができる。これにより、低床な車体構造を実現することが可能になる。
【０００９】
請求項２に記載の発明に係る車両懸架装置は、請求項１に記載の車両懸架装置において、前記ロータリーダンパは、前記固定部に対する前記可動部の回転中心が車体に対する前記トレーリングリンクの回転中心と同軸上に配置されており、前記可動部は、前記トレーリングリンクの回転中心よりも車両後方側で前記トレーリングリンクに連結されている。
【００１０】
請求項２に記載の車両懸架装置では、ロータリーダンパは、固定部に対する可動部の回転中心が、車体に対するトレーリングリンクの回転中心と同軸上に配置されている。また、可動部は、トレーリングリンクの回転中心よりも車両後方側、すなわちトレーリングリンクが車体から延びる側で当該トレーリングリンクに連結されている。これにより、可動部をトレーリングリンクと一体的に回転させることができるので、上側トレーリングリンクの回転を可動部に伝えるための構成を簡素で小型なものにすることができる。
【００１１】
請求項３に記載の発明に係る車両懸架装置は、請求項１又は請求項２に記載の車両懸架装置において、前記トーションバーは、前記ロータリーダンパの前記可動部及び前記固定部を同軸的に貫通している。
【００１２】
請求項３に記載の車両懸架装置では、上記構成により、トーションバーとロータリーダンパとの占有スペースが共用されているため、両者の占有スペースを実質的に小さくすることができる。しかも、トーションバーとロータリーダンパとをユニット化（サブアッセンブリ化）することができるため、製造効率を向上させることが可能になる。
【００１３】
請求項４に記載の発明に係る車両懸架装置は、請求項１又は請求項２に記載の車両懸架装置において、前記トーションバーは、前記後輪支持部材の車両前方に配置されており、前記ロータリーダンパは、前記トーションバーと前記トレーリングリンクとの連結部を介して前記トーションバーとは反対側に配置されている。
【００１４】
請求項４に記載の車両懸架装置では、トーションバーが後輪支持部材の車両前方、すなわちトレーリングリンクに対して後輪と同じ側に配置されているため、トーションバーの設置スペースが後輪の車幅方向一側へ大きく張り出さないようにすることができる。また、ロータリーダンパは、トーションバーとトレーリングリンクとの連結部を介してトーションバーとは反対側に配置されているため、トーションバーとロータリーダンパとを車幅方向においてバランスよく配置することができる。
【００１５】
請求項５に記載の発明に係る車両懸架装置は、請求項４に記載の車両懸架装置において、前記トレーリングリンクは、車両前方側へ延びる左右一対の腕部を備えており、前記ロータリーダンパは、前記一対の腕部の前端部間に配置されている。
【００１６】
請求項５に記載の車両懸架装置では、トレーリングリンクが備える左右一対の腕部の前端部間にロータリーダンパが配置されている。つまり、トレーリングアームとロータリーダンパとの占有スペースが共用されているため、ロータリーダンパの占有スペースを実質的に小さくすることができる。
【００１７】
請求項６に記載の発明に係る車両懸架装置は、請求項１〜請求項５の何れか１項に記載の車両懸架装置において、前記トレーリングリンクは、上側トレーリングリンクであり、当該上側トレーリングリンクの下方には、下側トレーリングリンクが設けられており、当該下側トレーリングリンクは、前端部が車体に対して車幅方向に沿った軸線回りに回転可能に連結されると共に、後端部が前記後輪支持部材に対して車幅方向に沿った軸線回りに回転可能に連結されている。
【００１８】
請求項６に記載の車両懸架装置では、後輪を回転可能に支持する後輪支持部材が、上側トレーリングリンク及び下側トレーリングリンクを介して車体に連結されており、ダブルトレーリングリンク式サスペンションが構成されている。そして、上側トレーリングリンクにトーションバー及びロータリーダンパが連結されている。これらのトーションバー及びロータリーダンパは、前述したように上下方向の占有スペースを小さくすることができるため、上側トレーリングリンクと連結された構成でも低床な車体構造を実現することができる。
【００１９】
請求項７に記載の発明に係る車両懸架装置は、請求項１〜請求項６の何れか１項に記載の車両懸架装置において、前記ロータリーダンパは、前記固定部に対する前記可動部の相対回転時に両者の間に摩擦力を生じさせる摩擦式とされている。
【００２０】
請求項７に記載の車両懸架装置では、ロータリーダンパが摩擦式とされているため、ロータリーダンパを簡素な構成にすることができる。
【発明の効果】
【００２１】
以上説明したように、本発明に係る車両懸架装置では、低床な車体構造を実現することが可能である。
【図面の簡単な説明】
【００２２】
【図１】本発明の第１実施形態に係る車両懸架装置が適用されて構成された三輪電気自動車の斜視図である。
【図２】本発明の第１実施形態に係る車両懸架装置を含む周辺部材の構成を示す斜視図である。
【図３】図２と同じ構成を別の角度から見た斜視図である。
【図４】図２と同じ構成を車両左方側から見た側面図である。
【図５】図２と同じ構成を車両後方側から見た部分断面図である。
【図６】図２と同じ構成を車両前方側から見た部分断面図である。
【図７】同車両懸架装置の構成部材である上側ゴムブッシュの周辺の構成を示す断面図である。
【図８】同車両懸架装置の構成部材であるロータリーダンパを示し、（Ａ）は側面図であり、（Ｂ）は平面図である。
【図９】本発明の第２実施形態に係る車両懸架装置を含む周辺部材の構成を示す斜視図である。
【図１０】図９と同じ構成を別の角度から見た斜視図である。
【図１１】図９と同じ構成を車両前方側から見た部分断面図である。
【発明を実施するための形態】
【００２３】
＜第１の実施形態＞
以下、図１〜図８を用いて本発明の第１実施形態に係る車両懸架装置１０について説明する。なお、各図に適宜記す矢印ＦＲ、矢印ＵＰ、矢印ＬＨ、矢印ＲＨ、矢印ＯＵＴは、それぞれ車両前方（進行方向）、車両上方、車両左方、車両右方、車幅方向外方をそれぞれ示している。以下、単に前後、左右、上下の方向を用いて説明する場合は、特に断りのない限り、車両前後方向の前後、車両左右方向の左右、車両上下方向の上下を示すものとする。
【００２４】
（構成）
図１には、本実施形態に係る車両懸架装置１０が設けられた三輪電気自動車１２が斜視図にて示されている。この三輪電気自動車１２は、前二輪後一輪の三輪電気自動車であり、ステアリング１４によって操舵される左右の前輪１６を図示しないモータの駆動力によって駆動する構成とされている。左右の前輪１６の車両後方側には、金属等の材料によって扁平な枠箱状に形成されたメインフレーム１８が設けられている。このメインフレーム１８は、三輪電気自動車１２の車体２０の骨格を構成している。このメインフレーム１８の後端部には、メインフレーム１８と共に車体２０の骨格を構成するリヤフレーム２２が一体的に固定されている。このリヤフレーム２２は、上下一対の横フレーム部２４、２６と、上下の横フレーム部２４、２６を上下方向に連結した縦フレーム部２８、３０、３２とによって構成されている。
【００２５】
図２〜図６に示されるように、上下の横フレーム部２４、２６は、角パイプによって形成されており、車幅方向に沿って延在している。また、車両左端側に配置された縦フレーム部２８は、車幅方向に並んだ左右一対の連結板３４、３６によって構成されている。左右の連結板３４、３６は、車両前後方向から見て互いに反対側が開放されたコの字状（略Ｕの字状）に形成されており、上下の横フレーム部２４、２６の左端側を上下方向に連結している。また、車両右端側に配置された縦フレーム部３０は、車幅方向外側が開放された略コの字状（略Ｕの字状）に形成されており、上下の横フレーム部２４、２６の右端部を上下方向に連結している。また、車幅方向中央側に配置された縦フレーム部３２は、車両前後方向から見て日の字状（略Ｂ字状）に形成されており、上下の横フレーム部２４、２６の車幅方向中央部よりも若干左側の部分を上下方向に連結している。
【００２６】
本実施形態に係る車両懸架装置１０は、上述のリヤフレーム２２と後輪３８との間に設けられている。この車両懸架装置１０は、後輪３８を回転可能に支持する後輪支持部材としてのリヤアクスルブラケット４０と、上側トレーリングリンク４２と、上側弾性体としての上側ゴムブッシュ４６と、下側トレーリングリンク４８と、下側弾性体としての下側ゴムブッシュ５０と、前側弾性体としての左右一対の前側ゴムブッシュ５２、５４と、コントロールリンク５５と、トーションバー（トーションシャフト）５６と、ロータリーダンパ５８とによって構成されている。以下、各構成部材について説明する。
【００２７】
リヤアクスルブラケット４０は、金属等の材料によって板状に形成されたブラケット本体６０を備えている。このブラケット本体６０には、図示しないアクスルシャフトや図５に示されるハブ６２等を介して後輪３８のリヤホイール６４が回転可能に取り付けられている。このブラケット本体６０におけるハブ６２とは反対側には、上側トレーリングアーム４２及び下側トレーリングアーム４８を連結するための上下一対の連結部６６、６８が一体又は一体的に設けられている。
【００２８】
上側の連結部６６（以下、上側連結部６６という）は、後輪３８のホイルセンタＳ（図４参照）に対して上方側で且つ車両前方側に位置しており、ブラケット本体６０の上端部から車幅方向一側（ハブ６２とは反対側）へ延びると共に、中間部が屈曲することにより先端側が車両前方側へ延びている。下側の連結部６８（以下、下側連結部６８という）は、図４に示されるように、後輪３８のホイルセンタＳに対して下方側で且つ車両前方側に位置しており、ブラケット本体６０の下端部から下方側へ一体に延びている。これらの上側連結部６６及び下側連結部６８は、図４に示される車両側面視で上下方向に並んでおり、図５に示される車両後面視で下側連結部６８が上側連結部６６よりも後輪３８のタイヤ接地中心Ｃ側にオフセットしている。
【００２９】
また、ブラケット本体６０の後端部からは、車両後方側へ向けて後方延出部７０が一体に延出されている。この後方延出部７０の後端部には、車幅方向一側（ハブ６２とは反対側）へ突出した連結片７０Ａが設けられている。この連結片７０Ａは、後輪３８のホイルセンタＳに対して車両後方側に離間して配置しており、後述するコントロールリンク５５に対応している。
【００３０】
上側トレーリングリンク４２は、金属パイプ等からなるＡアームによって構成されており、車両前方側へ向けて分岐した左右一対の腕部７２、７４を有している。一方の腕部７２は、車両前後方向に延びており、前端部がリヤフレーム２２の横フレーム部２４、２６間に挿入されている。この腕部７２の前端部には、軸線方向が車幅方向に沿った円筒状の筒状部７２Ａ（図６参照）が一体に設けられており、当該筒状部７２Ａの内側には、ベアリング７７が嵌入している。このベアリング７７の内輪の内側には連結軸７８が嵌入している。この連結軸７８は、軸線方向が車幅方向に延びており、縦フレーム部３２に対して相対回転不能に固定されている。この連結軸７８の軸線方向中間部には、鍔部（大径部）が設けられており、当該鍔部によってベアリング７７の内輪が支持されている。また、筒状部７２Ａの軸線方向一端部（縦フレーム部３２とは反対側の端部）には、連結部材１１４が取り付けられている。この連結部材１１４は、筒状部７２Ａとは反対側（ここでは車体右側）へ向かうに従い縮径する円錐台状に形成されており、筒状部７２Ａに対して同軸的かつ一体的に固定されている。また、この連結部材１１４は、一部が筒状部７２Ａの内側に挿入されており、当該一部によってベアリング７７の外輪が支持されている。これにより、腕部７２の前端部がベアリング７７を介して連結軸７８回りに回転可能に車体２０に連結されている。
【００３１】
また、図２に示されるように、腕部７２の前端側で筒状部７２Ａよりも若干車両後方側には、車幅方向一側（ここでは車両左側）へ突出したダンパ取付部８０が設けられている。このダンパ取付部８０は、後述するロータリーダンパ５８に対応している。
【００３２】
腕部７２の後端部には、軸線方向が車幅方向に沿った円筒状の軸受部７２Ｂが一体に設けられている。この軸受部７２Ｂは、リヤアクスルブラケット４０の上側連結部６６の側方に位置しており、当該軸受部７２Ｂには、上側ゴムブッシュ４６が取り付けられている。
【００３３】
上側ゴムブッシュ４６は、ゴム材によって形成されており、図７に示されるように、軸受部７２Ｂの内側に嵌合された円筒状の本体部４６Ａを備えている。この本体部４６Ａは、軸線方向中央部で左右に分割されており、軸受部７２Ｂに対して車幅方向両側から嵌合される構成になっている。この本体部４６Ａの軸線方向両端部には軸受部７２Ｂと略同径のフランジ部４６Ｂ、４６Ｂが設けられており、これらのフランジ部４６Ｂ、４６Ｂによって軸受部７２Ｂが車幅方向両側から挟まれている。
【００３４】
この上側ゴムブッシュ４６の内側には、連結軸８４が挿通されている。この連結軸８４の軸線方向一端側は上側連結部６６を貫通しており、この連結軸８４の軸線方向両端部に形成された雄ねじ部にそれぞれナットが螺合している。これにより、腕部４２の後端部が上側ゴムブッシュ４６及び連結軸８４を介して上側連結部６６に連結されており、腕部７２がリヤアクスルブラケット４０に対して連結軸８４回り（車幅方向に沿った軸線回り）に回転可能とされている。
【００３５】
上述の上側ゴムブッシュ４６は、後輪３８に作用する横力（車幅方向の荷重）に対する剛性が、後輪３８に作用する前後力（車両前後方向の荷重）に対する剛性よりも低く設定されており、上記横力に対しては変形し易く、上記前後力に対しては変形し難く構成されている。この剛性の特性は、例えば本体部４６Ａの厚さ寸法（肉厚）Ｔ１とフランジ部４６Ｂの厚さ寸法（肉厚）Ｔ２との関係等により設定される。
【００３６】
図２に示されるように、上側トレーリングリンク４２の他方の腕部７４は、後端部が一方の腕部７２の後端部に一体的に接合されている。この他方の腕部７４は、前端側へ向かうに従い一方の腕部７２から離れるように車両前後方向に対して傾斜しており、前端部が車両前方へ向けて屈曲されている。他方の腕部７４の前端部には、ボールジョイント８６が取り付けられている。このボールジョイント８６は、縦フレーム部２８の一対の連結板３４、３６の間に挿入されており、車幅方向に沿った連結ピン８８（図６参照）によって縦フレーム部２８に連結されている。これにより、腕部７４の前端部が車体２０に対して回転自在（上下左右に回転可能）に連結されている。
【００３７】
一方、下側トレーリングリンク４８は、上側トレーリングリンク４２の下方に配置されている。この下側トレーリングリンク４８は、上側トレーリングリンク４２と同様に、金属パイプ等からなるＡアームによって構成されており、車両前方側へ向けて分岐した左右一対の腕部９０、９２を有している。一方の腕部９０は、上側トレーリングリンク４２の腕部７２の下方において車両前後方向に延びており、後端部がリヤアクスルブラケット４０の下側連結部６８の側方に配置されている。この腕部９０の後端部には、軸線方向が車幅方向に沿った円筒状の軸受部９０Ｂが一体に設けられている。この軸受部９０Ｂは、前述した軸受部７２Ｂと同様の構成とされており、この軸受部９０Ｂには下側ゴムブッシュ５０が取り付けられている。この下側ゴムブッシュ５０は、前述した上側ゴムブッシュ４６と同様の構成とされており、上側ゴムブッシュ４６と同様に内側に挿入された連結軸９４を介して下側連結部６８に締結固定されている。これにより、腕部９０の後端部が下側ゴムブッシュ５０及び連結軸９４を介して下側連結部６８に連結されており、腕部９０がリヤアクスルブラケット４０に対して連結軸９４回り（車幅方向に沿った軸線回り）に回転可能とされている。
【００３８】
また、腕部９０の前端部は、リヤフレーム２２の横フレーム部２６の下方に位置している。この腕部９０の前端部には、軸線方向が車幅方向に沿った円筒状の軸受部９０Ａ（図６参照）が一体に設けられており、当該軸受部９０Ａには、図６に示されるように前側ゴムブッシュ５２が取り付けられている。この前側ゴムブッシュ５２は、前述した上側ゴムブッシュ４６と同様の構成とされており、上側ゴムブッシュ４６と同様の取付け方によって軸受部９０Ａに取り付けられている。この前側ゴムブッシュ９０Ａの車幅方向両側には、左右一対のブラケット９８が設けられている。これらのブラケット９８は、Ｌ字状に屈曲された板金等からなり、横フレーム部２６の下面に締結固定されている。そして、これらのブラケット９８を車幅方向に貫通した連結軸１００が前側ゴムブッシュ５２の内側に挿通されている。この連結軸１００の軸線方向両端部には、左右のブラケット９８の外側（前側ゴムブッシュ５２とは反対側）へ突出した雄ねじ部が設けられており、これらの雄ねじ部にナットが螺合することにより連結軸１００が左右のブラケット９８に締結固定されている。この連結軸１００は、軸線方向が車幅方向に延びており、腕部９０の前端部が連結軸１００回り（車幅方向に沿った軸線回り）に回転可能に車体２０に連結されている。
【００３９】
下側トレーリングリンク４８の他方の腕部９２は、図２に示されるように、上側トレーリングリンク４２の腕部７４の下方に位置しており、後端部が一方の腕部９０の後端側に接合されている。この他方の腕部９２は、前端側へ向かうに従い一方の腕部９０から離れるように車両前後方向に対して傾斜しており、前端部が車両前方へ向けて屈曲されている。この他方の腕部９２の前端部には、軸線方向が車幅方向に沿った円筒状の軸受部９２Ａが一体に設けられている。この軸受部９２Ａは、リヤフレーム２２の横フレーム部２６の下方に位置しており、当該軸受部９２Ａには、図６に示されるように、前側ゴムブッシュ５４が取り付けられている。この前側ゴムブッシュ５４は、前述した前側ゴムブッシュ５２と同様の構成とされており、軸受部９２Ａは、前側ゴムブッシュ５４、左右のブラケット１０２及び連結軸１０４を介して横フレーム２６に連結されている。これらのブラケット１０２及び連結軸１０４は、前述したブラケット９８及び連結軸１００と同様の構成とされており、腕部９２の前端部は、連結軸１０４回り（車幅方向に沿った軸線回り）に回転可能に車体２０に連結されている。
【００４０】
このように、本実施形態では、後輪３８を回転可能に支持するリヤアクスルブラケット４０が、上側トレーリングリンク４２及び下側トレーリングリンク４８を介して車体２０に連結されており、ダブルトレーリングリンク式サスペンションが構成されている。
【００４１】
一方、コントロールリンク５５は、長尺な円柱状に形成されたリンク本体１０６と、リンク本体１０６の長手方向両端部に取り付けられた一対のボールジョイント１０８、１１０とによって構成されている。一方のボールジョイント１０８は、前述したリヤアクスルブラケット４０の連結片７０Ａに取り付けられている。これにより、コントロールリンク５５の長手方向一端部（後端部）がリヤアクスルブラケット４０に対して回転自在に連結されている。また、他方のボールジョイント１１０は、横フレーム部２６に取り付けられたブラケット１１２に取り付けられてる。これにより、コントロールリンク５５の長手方向他端部（前端部）が車体２０に対して回転自在に連結されている。
【００４２】
上述のブラケット１１２は、横フレーム部２６の長手方向一端部（ここでは車両左側の端部）から車両後方側へ延びている。そして、このブラケット１１２とリヤアクスルブラケット４０の連結片７０Ａとの間に掛け渡されたコントロールリンク５５は、車両側面視で車両前後方向に延びており、車両平面視では前端側へ向かうに従い車幅方向一側（ここでは車両左側）へ向かうように車両前後方向に対して傾斜している。
【００４３】
トーションバー５６は、ばね鋼鋼材によって長尺な円柱状に形成されており、軸線方向が車幅方向に延びる状態で横フレーム部２４と横フレーム部２６との間に配置されている。また、このトーションバー５６は、後輪３８及びリヤアクスルブラケット４０の車両前方で、縦フレーム部３０と縦フレーム部３２との間に配置されている。このトーションバー５６の軸線方向一端部（長手方向一端部）は、前述した連結部材１１４の軸線方向一端部（縮径された側の端部）に、セレーション結合によって相対回転不能に連結されている。これにより、トーションバー５６の軸線方向一端部が連結部材１１４を介して上側トレーリングリンク４２の筒状部７２Ａ（腕部７２の前端部）に一体的かつ相対回転不能に連結されている。
【００４４】
トーションバー５６の軸線方向他端部（長手方向他端部）は、連結部材１１６を介して縦フレーム部３０に連結されている。この連結部材１１６は、円筒状に形成されており、軸線方向が車幅方向に延びる状態で配置されている。この連結部材１１６の軸線方向一端側は、図６に示されるように、縦フレーム部３０に形成された円孔に回転可能に嵌合している。これにより、連結部材１１６が縦フレーム部３０に回転可能に取り付けられている。また、この連結部材１１６の軸線方向一端側には、トーションバー５６の軸線方向他端部が内側に嵌合した状態で一体的に結合されている。これにより、トーションバー５６の軸線方向他端部と連結部材１１６とが相対回転不能に連結されており、トーションバー５６の軸線方向他端部が連結部材１１６を介して車体２０に連結されている。
【００４５】
また、この連結部材１１６の軸線方向他端側の外周部には、図３に示されるように、下側（半径方向外側）へ突出した爪部１１６Ａが設けられている。この爪部１１６Ａには、縦フレーム部３０の下端部に取り付けられた調整ボルト１１８の先端部が車両後方側から当接している。この調整ボルト１１８は、軸線方向が車両前後方向に延びる状態で配置されており、縦フレーム部３０の下端部に形成された雌ねじ部に螺合している。この調整ボルト１１８によって、連結部材１１６すなわちトーションバー５６の軸線方向他端部が縦フレーム部３０に対する軸線回り一方（図３の矢印Ａ方向）への相対回転を規制されている。
【００４６】
一方、ロータリーダンパ５８は、上側トレーリングリンク４２の腕部７２の前端部（筒状部７２Ａ）を介してトーションバー５６とは反対側（トーションバー５６の長手方向一端側）において、縦フレーム部２８と縦フレーム部３２との間に設けられている。このロータリーダンパ５８は、上側トレーリングリンク４２に固定された可動部１２０と、車体２０に固定（変位不能に連結）された固定部１２２とを有している。
【００４７】
図８（Ａ）及び図８（Ｂ）に示されるように、可動部１２０は、板金によって長尺状に形成された可動側プレート１２４を備えている。この可動側プレート１２４は、長手方向が上側トレーリングリンク４２の長手方向（略車両前後方向）に沿い且つ板厚方向が車幅方向に沿う状態で配置されている。この可動側プレート１２４の後部１２４Ａは、前後一対のボルトによって前述したダンパ取付部８０（図２参照）の先端部に締結固定されている。
【００４８】
固定部１２２は、板金によって略円板状（ここではティアドロップ形状）に形成された４枚の固定側プレート１２６、１２８、１３０、１３２を備えている。これらの固定側プレート１２６、１２８、１３０、１３２は、板厚方向が車幅方向に沿う状態で配置されている。固定側プレート１２６と固定側プレート１２８との間には、可動側プレート１２４の前部側及び円板状に形成された一対の摩擦板１３４、１３６が挟まれており、固定側プレート１３０と固定側プレート１３２との間には、円板状に形成された一対の摩擦板１３８、１４０が挟まれている。これらの摩擦板１３４、１３６、１３８、１４０は、固定側プレート１２６、１２８、１３０、１３２に固定されている。
【００４９】
固定側プレート１２６、１２８、１３０、１３２の略中央部、可動プレート１２４の前部１２４Ｂ及び摩擦板１３４、１３６、１３８、１４０の中央部には、ボルト１４２が貫通している。このボルト１４２の先端側は、ワッシャ１４４に挿入されると共に、一対のナット１４６、１４８に螺合している。このボルト１４２は、軸線方向が車幅方向に沿う状態で配置されており、車体２０に対する上側トレーリングリンク４２の回転中心である連結軸７８、及びトーションバー５６と同軸上に位置している。
【００５０】
また、ボルト１４２の頭部１４２Ａと固定側プレート１２６との間、及びワッシャ１４４と固定側プレート１３２との間には、ばね材によって略星形に形成された皿バネ状のスプリング１５０、１５２が介在している。これにより、固定側プレート１２６、１２８間に可動側プレート１２４の前部１２４Ｂ及び摩擦板１３４、１３６が弾性的に挟持されると共に、固定側プレート１３０、１３２間に摩擦板１３８、１４０が弾性的に挟持されており、可動側プレート１２４は、摩擦板１３４、１３６、１３８、１４０と一体で固定側プレート１２６、１２８、１３０、１３２に対してボルト１４２回りに相対回転可能に連結されている。
【００５１】
また、固定側プレート１２６、１２８の前端部は互いに接合されており、固定側プレート１３０、１３２の前端部は互いに接合されている。これらの接合部分には、それぞれ円形の貫通孔１５４（図８（Ａ）参照）が形成されており、各貫通孔１５４には、円柱状に形成された支持ピン１５６の軸線方向一端部が挿通されている。この支持ピン１５６は、軸線方向が車幅方向に沿う状態で配置されており、軸線方向他端部が縦フレーム部３２に取り付けられたブラケット１５８に固定されている。これにより、固定側プレート１２６、１２８、１３０、１３２の車体２０に対するボルト１４２回りの相対回転が規制されている。
【００５２】
上記構成のロータリーダンパ５８では、上側トレーリングリンク４２が前端部を中心として車体２０に対して上下に回転（揺動）すると、上側トレーリングリンク４２に連結された可動部１２０の可動側プレート１２４が固定側プレート１２６、１２８、１３０、１３２及び摩擦板１３４、１３６、１３８、１４０に対してボルト１４２回りに相対回転する。これにより、摩擦板１３４、１３６、１３８、１４０と可動側プレート１２４とが摺接し、摩擦力（減衰力）が生じる。その結果、固定部１２２に対する可動部１２０の相対回転、すなわち車体２０に対する上側トレーリングリンク４２の揺動が減衰される構成になっている。また、ボルト１４２及びナット１４６、１４８によってスプリング１５０、１５２の締め付けトルク（弾性変形量）を変更することにより、上記摩擦力を任意に調節できるようになっている。
【００５３】
（作用及び効果）
次に、本実施形態の作用及び効果について説明する。
【００５４】
上記構成の車両懸架装置１０では、上側トレーリングリンク４２及び下側トレーリングリンク４８が車体２０に連結された前端部を回転中心として車体２０に対し車幅方向に沿った軸線回りに回転（揺動）すると、上側トレーリングリンク４２及び下側トレーリングリンク４８の後端部にリヤアクスルブラケット４０を介して連結された後輪３８が車体２０に対して上下動する。この際、上側トレーリングリンク４２の回転に伴ってトーションバー５６が捩り変形することにより衝撃が吸収されると共に、ロータリーダンパ５８が固定部１２２に対する可動部１２０の相対回転を減衰することにより後輪３８の上下動（振動）が減衰される。
【００５５】
ここで、上述のトーションバー５６は、上側トレーリングリンク４２の前端部と車体２０との間に車幅方向に沿って架け渡されているため、上下方向の占有スペースが小さい。また、上述のロータリーダンパ５８は、上側トレーリングリンク４２の回転に伴って可動部１２０が固定部１２２に対し相対回転するものであるため、背景技術の欄で説明したスイングアーム式サスペンションのショックアブソーバと比較して、上下方向の占有スペースを小さくすることができる。これにより、床部が低くてフラットな車体構造を実現することができ、優れた懸架性及びデザインを有する省スペースで軽量なサスペンション構造を提供することができる。
【００５６】
さらに、本実施形態では、ロータリーダンパ５８は、固定部１２２に対する可動部１２０の回転中心であるボルト１４２が、車体２０に対する上側トレーリングリンク４２の回転中心である連結軸７８と同軸上に配置されている。また、可動部１２０は、上側トレーリングリンク４２の回転中心よりも車両後方側すなわち上側トレーリングリンク４２が車体２０から延びる側で当該上側トレーリングリンク４２のダンパ取付部８０に連結されている。これにより、可動部１２０を上側トレーリングリンク４２と一体的に回転させることができるので、上側トレーリングリンク４２の回転を可動部１２０に伝えるための構成（ここではダンパ取付部８０）を簡素で小型なものにすることができる。
【００５７】
また、本実施形態では、トーションバー５６がリヤアクスルブラケット４０及び後輪３８の車両前方、すなわち上側トレーリングリンク４２に対して後輪３８と同じ側に配置されているため、トーションバー５６の設置スペースが後輪３８の車幅方向一側へ大きく張り出さないようにすることができる。また、ロータリーダンパ５８は、トーションバー５６と上側トレーリングリンク４２との連結部である腕部７２の前端部を介してトーションバー５６とは反対側に配置されているため、トーションバー５６とロータリーダンパ５８とを車幅方向においてバランスよく配置することができる。
【００５８】
また、本実施形態では、上側トレーリングリンク４２が備える左右一対の腕部７２、７４の前端部間にロータリーダンパ５８が配置されている。これにより、上側トレーリングアーム４２とロータリーダンパ５８との占有スペースが共用されている（一部で重複している）ため、ロータリーダンパ５８の占有スペースを実質的に小さくすることができる。
【００５９】
さらに、本実施形態では、上側トレーリングリンク４２及び下側トレーリングリンク４８によってダブルトレーリングリンク式サスペンションが構成されており、上側トレーリングリンク４２にトーションバー５６及びロータリーダンパ５８が連結されている。これらのトーションバー５６及びロータリーダンパ５８は、前述したように上下方向の占有スペースを小さくすることができるため、上側トレーリングリンク４２と連結された構成でも低床な車体構造を実現することができる。
【００６０】
また、本実施形態では、ロータリーダンパ５８が摩擦式とされているため、ロータリーダンパ５８を簡素な構成にすることができる。
【００６１】
さらに、本実施形態では、上側トレーリングリンク４２の後端部は、リヤアクスルブラケット４０に設けられた上側連結部６６に上側ゴムブッシュ４６を介して連結されており、下側トレーリングリンク４８の後端部は、リヤアクスルブラケット４０に設けられた下側連結部６８に下側ゴムブッシュ５０を介して連結されている。また、上側連結部６６と下側連結部６８は、後輪３８のホイルセンタＳよりも車両前方側に設けられており、車両側面視で上下方向に並ぶと共に、車両前後方向視で下側連結部６８が上側連結部６６よりもタイヤ接地中心Ｃ側にオフセットしている。
【００６２】
このため、後輪３８に対して車両制動時の前後力又は車両旋回時の横力が作用した際には、上側ゴムブッシュ４６及び下側ゴムブッシュ５０が弾性変形する（撓む）ことにより、上側ゴムブッシュ４６と下側ゴムブッシュ５０とを通る仮想のキングピン軸を中心として後輪３８を微小角度回転（ステア）させることができる。
【００６３】
しかも、本実施形態では、前端部が車体２０に対して回転自在に連結され、後端部が後輪３８のホイルセンタＳよりも車両後方側でリヤアクスルブラケット４０に対して回転自在に連結されたコントロールリンク５５を備えている。このため、上述の如く後輪３８が仮想キングピン軸を中心として回転する際には、コントロールリンク５５によって後輪３８の回転方向を所定方向に規制することができる。これにより、後輪３８に作用する横力及び前後力に対して適切なコンプライアンスステア特性を得ることが可能になる。
【００６４】
つまり、本実施形態では、上側ゴムブッシュ４６及び下側ゴムブッシュ５０の撓み方向及び撓み量と、コントロールリンク５５による後輪３８の回転規制方向を調整することにより、後輪３８のステア角を適切にコントロールすることができる。すなわち、後輪３８のトー角は、上側ゴムブッシュ４６及び下側ゴムブッシュ５０からなる仮想キングピン軸、及びコントロールリンク５５の車幅方向の移動量によって変化する。また、後輪３８のキャンバ角は、仮想キングピン軸の傾角が変わることで変化する。従って、上側ゴムブッシュ４６及び下側ゴムブッシュ５０の弾性を調整することにより、後輪３８のトー角及びキャンバ角を適切に変化させることができる。
【００６５】
その結果、車両制動時には、後輪３８が直進安定性を向上させるように微小角度ステアし、車両旋回時には、後輪３８が旋回安定性を向上させる方向（アンダーステアになる方向）へ微小角度ステアする。従って、極めて簡単な構成で車両の走行安定性を向上させることができる。
【００６６】
また、本実施形態では、後輪３８の微小角度ステアを可能にする上側ゴムブッシュ４６及び下側ゴムブッシュ５０は、後輪３８に作用する前後力に対する剛性よりも、後輪３８に作用する横力に対する剛性が低く設定されている。これにより、横力Ｆ２に対して後輪３８を良好にステアさせて車両の旋回性を向上させることができると共に、前後力に対する後輪３８の角度変化を抑制することができ、車両の直進安定性を向上させることができる。
【００６７】
さらに、本実施形態では、下側トレーリングリンク４８が備える左右の腕部９０、９２の前端部が、前側ゴムブッシュ５２、５４を介して車体２０に連結されている。これにより、下側トレーリングリンク４８を介した車体２０への入力を前側ゴムブッシュ５２、５４によって吸収することができるので、三輪電気自動車１０の乗り心地を良好にすることができる。
【００６８】
＜第２の実施形態＞
次に、本発明の第２の実施形態について説明する。なお、前記第１実施形態と基本的に同様の構成・作用については、前記第１実施形態と同符号を付与し、その説明を省略する。
【００６９】
図９〜図１１に示されるように、本第２実施形態に係る車両懸架装置１０’では、ロータリーダンパ５８’が上側トレーリングリンク４２の腕部７２に対してトーションバー５６と同じ側に配置されている点で、前記第１実施形態に係る車両懸架装置１０とは異なっている。このロータリーダンパ５８’は、前記第１実施形態に係るロータリーダンパ５８と基本的に同様の構成とされているが、ボルト１４２’及びナット１４６’１４８’が前記第１実施形態に係るボルト１４２及びナット１４６、１４８よりも大径に形成されている。ボルト１４２’の軸心部には、当該ボルト１４２’を軸線方向（車幅方向）に貫通する貫通孔１６０が形成されており、当該貫通孔１６０には、トーションバー５６の軸線方向中間部が挿通されている。つまり、トーションバー５６は、ロータリーダンパ５８’の可動部１２０及び固定部１２２を同軸的に貫通しており、トーションバー５６とロータリーダンパ５８’とが互いに重なる位置に配置されている。
【００７０】
この実施形態では、トーションバー５６とロータリーダンパ５８’との占有スペースが共用されているため、両者の占有スペースを実質的に小さくすることができる。しかも、トーションバー５６とロータリーダンパ５８’とをユニット化（サブアッセンブリ化）することができるため、製造効率を向上させることが可能になる。
【００７１】
（実施形態の補足説明）
上記各実施形態では、下側トレーリングリンク４８の左右の腕部９０、９２の前端部が、前側ゴムブッシュ５２、５４（何れも前側弾性体）を介して車体２０に連結された構成にしたが、本発明はこれに限らず、下側トレーリングリンクの前端部が前側弾性体を介さずに車体に連結された構成にしてもよい。
【００７２】
また、上記各実施形態では、上側ゴムブッシュ４６（上側弾性体）及び下側ゴムブッシュ５０（下側弾性体）が、後輪３８に作用する前後力に対する剛性よりも後輪３８に作用する横力に対する剛性が低く設定された構成にしたが、本発明はこれに限らず、上側弾性体及び下側弾性体の剛性は適宜変更することができる。
【００７３】
また、上記各実施形態では、ロータリーダンパ５８が摩擦式とされた構成にしたが、本発明はこれに限らず、ロータリーダンパが油圧式とされた構成にしてもよい。
【００７４】
さらに、上記第１実施形態では、Ａアームである上側トレーリングリンク４２（トレーリングリンク）の腕部７２、７４の前端部間にロータリーダンパ５８が配置された構成にしたが、本発明はこれに限らず、トレーリングリンクの構成及びロータリーダンパの配置は適宜変更することができる。
【００７５】
また、上記各実施形態では、トーションバー５６がリヤアクスルブラケット４０の車両前方、すなわち上側トレーリングリンク４２（トレーリングリンク）に対して後輪３８と同じ側に配置された構成にしたが、本発明はこれに限らず、トーションバーがトレーリングリンクに対して後輪とは反対側に配置された構成にしてもよい。
【００７６】
また、上記各実施形態では、ロータリーダンパ５８は、固定部１２２に対する可動部１２０の回転中心が車体２０に対する上側トレーリングリンク４２の回転中心と同軸上に配置された構成にしたが、本発明はこれに限らず、上記各回転中心が異なる軸上に配置された構成にしてもよい。その場合、例えばリンク等を用いて可動部とトレーリングリンクとを連結する構成になる。
【００７７】
さらに、上記各実施形態では、車両懸架装置１０が前二輪後一輪の三輪電気自動車１２に対して適用された構成にしたが、これに限らず、本発明に係る車両懸架装置は、四輪の自動車に対しても適用することができる。
【００７８】
その他、本発明は、その要旨を逸脱しない範囲で種々変更して実施できる。また、本発明の権利範囲が上記実施形態に限定されないことは勿論である。
【符号の説明】
【００７９】
１０、１０’  車両懸架装置
１２          三輪電気自動車（三輪自動車）
２０          車体
３８          後輪
４０          リヤアクスルブラケット（後輪支持部材）
４２          上側トレーリングリンク（トレーリングリンク）
４８          下側トレーリングリンク
５６          トーションバー
５８、５８’  ロータリーダンパ
７２、７４    腕部
１２０        可動部
１２２        固定部
【図１】
2014015063.tif 000003
【図２】
2014015063.tif 000004
【図３】
2014015063.tif 000005
【図４】
2014015063.tif 000006
【図５】
2014015063.tif 000007
【図６】
2014015063.tif 000008
【図７】
2014015063.tif 000009
【図８】
2014015063.tif 000010
【図９】
2014015063.tif 000011
【図１０】
2014015063.tif 000012
【図１１】
2014015063.tif 000013